(57)【要約】【課題】カバーエリアが可変であり、かつ隣り合うアンテナ装置との干渉を抑制可能なアンテナ装置及びアンテナシステムを提供する。【解決手段】水平方向に整列配置された複数のアンテナ素子２と、複数系統のベースバンド信号Ｄ１〜Ｄ４が入力される無線部３と、を備え、無線部３は、ベースバンド信号の系統毎でかつアンテナ素子２毎に、位相と振幅を調整するための重み係数が設定された重みマトリクスを記憶する記憶部６を有し、重みマトリクスを各系統のベースバンド信号Ｄ１〜Ｄ４に掛け合わせて各アンテナ素子２から送信する送信信号Ｐ１〜Ｐ４を生成するように構成されており、無線部３は、適用する重みマトリクスを変更可能に構成されている。【選択図】図１
2018061128.tif 000002
【特許請求の範囲】
【請求項１】
水平方向に整列配置された複数のアンテナ素子と、
複数系統のベースバンド信号が入力される無線部と、を備え、
前記無線部は、ベースバンド信号の系統毎でかつ前記アンテナ素子毎に、位相と振幅を調整するための重み係数が設定された重みマトリクスを記憶する記憶部を有し、前記重みマトリクスを各系統のベースバンド信号に掛け合わせて前記各アンテナ素子から送信する送信信号を生成するように構成されており、
前記無線部は、適用する前記重みマトリクスを変更可能に構成されている、
アンテナ装置。
【請求項２】
前記記憶部には、異なる重み係数が設定された複数の前記重みマトリクスが記憶されており、
前記無線部は、適用する前記重みマトリクスを選択可能に構成されている、
請求項１に記載のアンテナ装置。
【請求項３】
前記無線部は、前記重みマトリクスを外部からの信号により書き換え可能に構成されている、
請求項１または２に記載のアンテナ装置。
【請求項４】
前記アンテナ素子の間隔が、前記アンテナ素子を介して送受信する信号波長λの０．４倍以上０．６倍以下である、
請求項１乃至３の何れか１項に記載のアンテナ装置。
【請求項５】
前記無線部には４系統のベースバンド信号が入力されており、
０．５λ間隔で水平方向に整列配置された７つ以上の前記アンテナ素子を有している、
請求項１乃至４の何れか１項に記載のアンテナ装置。
【請求項６】
前記無線部は、送信信号を２つ以上の前記アンテナ素子に分配する分配器を有する、
請求項１乃至５の何れか１項に記載のアンテナ装置。
【請求項７】
請求項１乃至６の何れか１項に記載のアンテナ装置を複数備えると共に、
前記各アンテナ装置の通信量を監視し、当該通信量に基づき、前記アンテナ装置毎に前記無線部で適用する前記重みマトリクスを決定する制御装置を備えた、
アンテナシステム。
【発明の詳細な説明】
【技術分野】
【０００１】
本発明は、アンテナ装置及びアンテナシステムに関する。
【背景技術】
【０００２】
従来、携帯電話基地局として用いられるアンテナシステムでは、複数のアンテナ装置を用いて、３６０度全方向の通信をカバーすることが行われている。例えば、３つのアンテナ装置を用いて、各アンテナ装置で１２０度のエリアにおける通信をカバーする、といったことが行われている（例えば、特許文献１参照）。
【先行技術文献】
【特許文献】
【０００３】
【特許文献１】特開平１１−２２５１０５号公報
【発明の概要】
【発明が解決しようとする課題】
【０００４】
ところで、例えばあるエリアでの通信量が多いとき、そのエリアに対応するアンテナ装置の負荷を軽減するために、通信量が多いエリアを狭くし（ビーム幅を絞って強電力にして）、その他のエリアを拡げる（ビーム幅を拡げて弱電力にする）ことで、負荷分散を行う（ロードバランスをとる）ことが望まれる。
【０００５】
しかし、特許文献１では、複数のアンテナ装置全てを一体に回転させているため、エリアの大きさを変化させることができない。また、各アンテナ装置を個別に回転可能とし、アンテナ装置の向きを個別に調整可能とすることも考えられるが、エリアの大きさを変化させないままで回転させると隣り合うアンテナ装置との干渉が大きくなってしまう。
【０００６】
そこで、本発明は、カバーエリアが可変であり、かつ隣り合うアンテナ装置との干渉を抑制可能なアンテナ装置及びアンテナシステムを提供することを目的とする。
【課題を解決するための手段】
【０００７】
本発明は、上記課題を解決することを目的として、水平方向に整列配置された複数のアンテナ素子と、複数系統のベースバンド信号が入力される無線部と、を備え、前記無線部は、ベースバンド信号の系統毎でかつ前記アンテナ素子毎に、位相と振幅を調整するための重み係数が設定された重みマトリクスを記憶する記憶部を有し、前記重みマトリクスを各系統のベースバンド信号に掛け合わせて前記各アンテナ素子から送信する送信信号を生成するように構成されており、前記無線部は、適用する前記重みマトリクスを変更可能に構成されている、アンテナ装置を提供する。
【０００８】
また、本発明は、上記課題を解決することを目的として、前記アンテナ装置を複数備えると共に、前記各アンテナ装置の通信量を監視し、当該通信量に基づき、前記アンテナ装置毎に前記無線部で適用する前記重みマトリクスを決定する制御装置を備えた、アンテナシステムを提供する。
【発明の効果】
【０００９】
本発明によれば、カバーエリアが可変であり、かつ隣り合うアンテナ装置との干渉を抑制可能なアンテナ装置及びアンテナシステムを提供できる。
【図面の簡単な説明】
【００１０】
【図１】（ａ）は、本発明の一実施の形態に係るアンテナ装置の概略構成図であり、（ｂ）はアンテナ装置を用いたアンテナシステムの概略構成図である。
【図２】図１（ａ）のアンテナ装置において、ビームパターンが可変であることを説明する図である。
【図３】図１（ａ）のアンテナ装置の放射特性の一例を示すグラフ図である。
【図４】（ａ）は、本発明の一変形例に係るアンテナ装置の概略構成図であり、（ｂ）はその放射特性の一例を示すグラフ図である。
【図５】アンテナ素子数を６とし分配器を省略した場合の放射特性の一例を示すグラフ図である。
【図６】（ａ）は、本発明の一変形例に係るアンテナ装置の概略構成図であり、（ｂ）はその放射特性の一例を示すグラフ図である。
【図７】（ａ）は、本発明の一変形例に係るアンテナ装置の概略構成図であり、（ｂ）はその放射特性の一例を示すグラフ図である。
【発明を実施するための形態】
【００１１】
［実施の形態］
以下、本発明の実施の形態を添付図面にしたがって説明する。
【００１２】
図１（ａ）は、本実施の形態に係るアンテナ装置の概略構成図であり、図１（ｂ）はアンテナ装置を用いたアンテナシステムの概略構成図である。
【００１３】
図１（ａ）に示すように、アンテナ装置１は、複数のアンテナ素子２と、無線部（ＲＥ）３と、無線部３を制御する無線制御部（ＲＥＣ）４と、を備えている。
【００１４】
複数のアンテナ素子２は、水平方向に一直線上に整列配置されている。アンテナ素子２としては、例えばダイポールアンテナを用いることができる。また、アンテナ素子２は、放射器を複数持つアレーであってもよい。つまり、アレー状に配置された複数のアンテナ素子の全体を１つのアンテナ素子２として扱ってもよい。
【００１５】
また、複数のアンテナ素子２は、等間隔に配置されている。アンテナ素子２の間隔は、アンテナ素子２を介して送受信する信号波長λの０．５倍程度であるとよい。より具体的には、アンテナ素子２の間隔は、アンテナ素子２を介して送受信する信号波長λの０．４倍以上０．６倍以下であるとよい。アンテナ素子２の間隔を０．５λ程度とすることで、不要なサイドローブを抑制し、カバーエリアが隣り合うアンテナ装置１同士の干渉を抑制することが可能になる。本実施の形態では、４つのアンテナ素子２ａ〜２ｄを０．５λの間隔で順次配置した。
【００１６】
無線制御部４は、送受信するデータや信号からベースバンド信号Ｄ１〜Ｄ４を生成すると共に、受信したベースバンド信号Ｄ１〜Ｄ４からデータや信号を得る変復調部４１を有している。変復調部４１は、複数系統（ここでは４系統）のベースバンド信号Ｄ１〜Ｄ４を生成し、生成したベースバンド信号Ｄ１〜Ｄ４を光ファイバなどを介して無線部３に出力する。変復調部４１における変調方式はとくに限定されるものではないが、例えば、ＱＰＳＫ（４位相偏移変調）等の位相偏移変調方式を用いることができる。また、複数の光ファイバを用いてベースバンド信号Ｄ１〜Ｄ４のそれぞれを伝送してもよいし、ベースバンド信号Ｄ１〜Ｄ４を多重化して１本の光ファイバで伝送してもよい。
【００１７】
無線部３は、重み演算部５と、記憶部６と、増幅・周波数変換部（ＲＦ）７と、を有している。
【００１８】
記憶部６は、ＲＡＭやＲＯＭ等のメモリで構成される。記憶部６には、ベースバンド信号Ｄ１〜Ｄ４の系統毎でかつアンテナ素子２毎に、位相と振幅を調整するための重み係数が設定された重みマトリクスが記憶されている。本実施の形態では、ベースバンド信号Ｄ１〜Ｄ４の系統数が４であり、アンテナ素子２の数が４であるから、重みマトリクスは、４行４列の１６個の重み係数の行列で表される。
【００１９】
重み演算部５は、記憶部６に記憶されている重みマトリクスを各系統のベースバンド信号Ｄ１〜Ｄ４に掛け合わせて、各アンテナ素子２ａ〜２ｄに対応した増幅・周波数変換部７に送る。これらは、［数１］に示す式（１）により、アンテナ素子２ａ〜２ｄから送信する送信信号Ｐ１〜Ｐ４を生成する。送信信号Ｐ１〜Ｐ４をアンテナ素子２ａ〜２ｄに入力すると、ベースバンド信号Ｄ１〜Ｄ４に対応した信号は、それぞれ図１（ａ）に符号Ａ１〜Ａ４で示したビームパターンで出力される。
【数１】
2018061128.tif 000003
【００２０】
式（１）におけるＷ１１〜Ｗ４４は、重み係数であり、位相情報を含んだ複素数により表される。重み係数は、例えばＡ・ｅｊθと表される。Ａは送信信号Ｐ１〜Ｐ４の振幅の大きさを決定する係数、θは位相である。重みマトリクスの重み係数Ｗ１１〜Ｗ４４を適宜設定することにより、各送信信号Ｐ１〜Ｐ４が送信される方向及びビーム幅をそれぞれ調整すること（つまり各系統のビームパターンを調整すること）が可能である。つまり、アンテナ装置１は、そのカバーエリアに４つのセクタがあるかのごとく動作するマルチビームアンテナ装置である。
【００２１】
本実施の形態に係るアンテナ装置１では、無線部３は、適用する重みマトリクスを変更可能に構成されている。具体的には、アンテナ装置１では、記憶部６には、異なる重み係数が設定された複数の重みマトリクスが記憶されており、無線部３の重み演算部５は、適用する重みマトリクスを選択可能に構成されている。重みマトリクスは、制御情報信号により、無線制御部４側から書き換えあるいは選択が可能となっている。
【００２２】
なお、本実施の形態では記憶部６に複数の重みマトリクスを記憶させておき、いずれの重みマトリクスを適用するかを選択するように無線部３を構成したが、これに限らず、記憶部６に１つの重みマトリクスのみを記憶させ、重みマトリクスを変更する際に、無線制御部４側からその都度重みマトリクスの書き換えを行うようにしてもよい。
【００２３】
重み演算部５は、後述するアンテナシステム１０の制御装置１１から無線制御部４を介して無線部３に入力された制御情報信号を基に、適用する重みマトリクスを決定する。制御情報信号の方式としては、例えばＣＰＲＩ（Ｃｏｍｍｏｎ  Ｐｕｂｌｉｃ  Ｒａｄｉｏ  Ｉｎｔｅｒｆａｃｅ）を用いることができる。
【００２４】
上述のように、重みマトリクスの重み係数Ｗ１１〜Ｗ４４を適宜設定することで、各系統のビームパターンが決定されることになる。よって、重み係数の異なる複数の重みマトリクスを予め記憶しておき、重み演算部５にてベースバンド信号Ｄ１〜Ｄ４に掛け合わせる重みマトリクスを適宜選択することで、ビームパターンを切り替えることが可能になる。
【００２５】
その結果、例えば、図２に示すように、各系統のビームパターンの幅を狭くし、各系統のビームパターンの方向を近づけることで、アンテナ装置１のカバーエリアを狭めることが可能になる。また、図示していないが、各系統のビームパターンの幅を拡げ、各系統のビームパターンの方向を離間させることで、アンテナ装置１のカバーエリアを拡げることも可能になる。さらに、各系統のビームパターンの方向を変化させることで、カバーエリアの方向を変化させることも可能になる。
【００２６】
つまり、重み演算部５で適用する重みマトリクスを選択することで、通信状況に応じて最適なビームパターンに切り替えることが可能になる。なお、図１（ａ）及び図２では、ベースバンド信号Ｄ１〜Ｄ４の各系統に対応するビームパターンをそれぞれ破線（符号Ａ１〜Ａ４）にて表している。
【００２７】
また、重み演算部５は、各アンテナ素子２ａ〜２ｄで受信した信号に、記憶部６に記憶されている重みマトリクスの逆行列を掛け合わせることで、ベースバンド信号Ｄ１〜Ｄ４を生成する。
【００２８】
図１（ｂ）に示すように、アンテナシステム１０は、本実施の形態に係るアンテナ装置１を複数備えると共に、アンテナ装置１を制御する制御装置１１を備えている。
【００２９】
本実施の形態では、アンテナシステム１０は、３つのアンテナ装置１を備えている。アンテナシステム１０では、通信負荷が低い状態においては、各アンテナ装置１のカバーエリアは約１２０度に設定されており、３つのアンテナ装置１で３６０度全方向の通信をカバーするように構成されている。なお、図１（ｂ）では、各アンテナ装置１のカバーエリアを一点鎖線にて表している。
【００３０】
制御装置１１は、各アンテナ装置１の通信量を監視する通信量監視部１１ａと、通信量監視部１１ａが監視している各アンテナ装置１の通信量に基づき、アンテナ装置１毎に無線部３で適用する重みマトリクスを決定する重みマトリクス決定部１１ｂと、を有している。
【００３１】
重みマトリクス決定部１１ｂは、例えば、１つのアンテナ装置１での通信量が規定量を超えた際に、当該アンテナ装置１にてカバーエリアを縮小するように重みマトリクスを切り替えさせると共に、それ以外のアンテナ装置１にてカバーエリアを拡大するように重みマトリクスを切り替えさせる。これにより、通信負荷が大きいエリアでビーム幅を絞り（強電力にして）、かつ、通信負荷が小さいエリアでビーム幅を広げて（弱電力にして）、エリア当たりの通信負荷（ユーザ数）を均等化し、負荷分散を行うことが可能になる。
【００３２】
次に、送受信する系統数を４とした場合において、アンテナ装置１における最適なアンテナ素子２の素子数について検討しておく。
【００３３】
アンテナ素子２を４つとした図１（ａ）のアンテナ装置１の放射特性は、図３のようになる。図３に示すように、アンテナ素子２の素子数を送受信する系統数と同じ４つとした場合、重みマトリクスを適宜設定することで、隣り合うビームとのクロスオーバを３ｄＢ程度とし、サイドローブを約１３ｄＢ程度とすることができる。
【００３４】
なお、重みマトリクス（重み係数Ｗ１１〜Ｗ４４）は、隣り合うビームとのクロスオーバ及びサイドローブが小さくなるように、適宜な方法で算出される。本発明者らが検討した結果、重みマトリクスを調整してサイドローブを低くしようとすると、ビーム幅が拡がりクロスオーバが大きくなる傾向があることが分かった。
【００３５】
図４（ａ）に示すアンテナ装置１ａは、０．５λ間隔で水平方向に整列配置された６つのアンテナ素子２ａ〜２ｆを有している。アンテナ装置１ａでは送受信する系統数よりもアンテナ素子２の数が多くなるため、分配器８を２つ用い、送信信号Ｐ１を２分配してアンテナ素子２ａ，２ｅに、送信信号Ｐ２を２分配してアンテナ素子２ｂ，２ｆに、それぞれ送信するようにしている。
【００３６】
６つのアンテナ素子２ａ〜２ｆを用いたアンテナ装置１ａの放射特性は、図４（ｂ）のようになる。図４（ｂ）に示すように、アンテナ装置１ａでは、アンテナ素子２を４つ用いたアンテナ装置１と比較して、クロスオーバを低くし、かつサイドローブを小さくできていることが分かる。
【００３７】
なお、ここでは２つの分配器８を用いる場合を説明したが、分配器８は省略可能である。例えば、マルチビームの機能だけでなく他の伝送モードでアンテナ装置１を使用する場合には、分配器８を用いずに、アンテナ素子２毎に振幅・位相を調整した送信信号Ｐ１〜Ｐ６を送信するように無線部３を構成してもよい。この場合、６行４列の２４個の重み係数を用いた重みマトリクスが用いられることになる。
【００３８】
ただし、分配器８を省略した場合には、送信信号Ｐ１〜Ｐ６の系統数の増加に応じて無線部３の構成が複雑となってしまい、コスト増加の原因となってしまう。分配器８を用いることで、より簡単な構成でアンテナ装置１ａを実現可能となり、低コスト化に寄与する。
【００３９】
ここで、分配器８を使用せずに各アンテナ素子２ａ〜２ｆにそれぞれ送信信号Ｐ１〜Ｐ６を送信する場合の放射特性の一例を図５に示す。図５と図４（ｂ）とを比較すると分かるように、重みマトリクスを適宜設定することにより、分配器８の使用の有無にかかわらず、略同等のクロスオーバ及びサイドローブの特性が得られる。
【００４０】
図６（ａ）に示すアンテナ装置１ｂは、０．５λ間隔で水平方向に整列配置された７つのアンテナ素子２ａ〜２ｇを有している。アンテナ装置１ｂでは、分配器８を３つ用い、送信信号Ｐ１を２分配してアンテナ素子２ａ，２ｅに、送信信号Ｐ２を２分配してアンテナ素子２ｂ，２ｆに、送信信号Ｐ３を２分配してアンテナ素子２ｃ，２ｇに、それぞれ送信するようにしている。
【００４１】
７つのアンテナ素子２ａ〜２ｇを用いたアンテナ装置１ｂの放射特性は、図６（ｂ）のようになる。図６（ｂ）に示すように、アンテナ装置１ｂでは、アンテナ素子２を６つ用いたアンテナ装置１ａよりもさらにクロスオーバを低くし、かつサイドローブを小さくできていることが分かる。また、アンテナ装置１ｂでは、上述のアンテナ装置１，１ａと比較して、カバーエリアとなる１２０度の範囲外へのサイドローブが低減されている。
【００４２】
図７（ａ）に示すアンテナ装置１ｃは、０．５λ間隔で水平方向に整列配置された８つのアンテナ素子２ａ〜２ｈを有している。アンテナ装置１ｃでは、分配器８を４つ用い、送信信号Ｐ１を２分配してアンテナ素子２ａ，２ｅに、送信信号Ｐ２を２分配してアンテナ素子２ｂ，２ｆに、送信信号Ｐ３を２分配してアンテナ素子２ｃ，２ｇに、送信信号Ｐ４を２分配してアンテナ素子２ｄ，２ｈに、それぞれ送信するようにしている。
【００４３】
８つのアンテナ素子２ａ〜２ｈを用いたアンテナ装置１ｃの放射特性は、図７（ｂ）のようになる。図７（ｂ）に示すように、アンテナ装置１ｃでは、アンテナ素子２を７つ用いたアンテナ装置１ｂよりもさらにクロスオーバを低くし、かつサイドローブを小さくできていることが分かる。また、アンテナ装置１ｃでは、７つのアンテナ素子２ａ〜２ｇを用いたアンテナ装置１ｂと同様に、アンテナ装置１，１ａと比較して、カバーエリアとなる１２０度の範囲外へのサイドローブが低減されている。
【００４４】
以上の結果より、アンテナ素子２の数を増やすほど、クロスオーバを低くし、サイドローブを小さくすることが可能である。また、アンテナ素子２の数を７以上とすることで、カバーエリアとなる１２０度の範囲外へのサイドローブを低減することが可能である。よって、４系統の信号を送受信する場合（無線部３に４系統のベースバンド信号Ｄ１〜Ｄ４が入力されている場合）、０．５λ間隔で水平方向に整列配置された７つ以上のアンテナ素子２を有していることがより望ましいといえる。
【００４５】
また、以上の説明では偏波について言及しなかったが、一般に、あるエリアをカバーする場合に、直交２偏波を用いることが多くあり、ダイバシティやデータ多重に用いられる。本実施の形態では、１偏波として説明したが、直交２偏波に拡張してもよい。
【００４６】
（実施の形態の作用及び効果）
以上説明したように、本実施の形態に係るアンテナ装置１では、水平方向に整列配置された複数のアンテナ素子２と、複数系統のベースバンド信号Ｄ１〜Ｄ４が入力される無線部３と、を備え、無線部３は、ベースバンド信号の系統毎でかつアンテナ素子２毎に、位相と振幅を調整するための重み係数が設定された重みマトリクスを記憶する記憶部６を有し、重みマトリクスを各系統のベースバンド信号Ｄ１〜Ｄ４に掛け合わせて各アンテナ素子２から送信する送信信号Ｐ１〜Ｐ４を生成するように構成されており、無線部３は、適用する重みマトリクスを変更可能に構成されている。
【００４７】
無線部３で適用する重みマトリクスを変更可能とすることにより、各系統のビームパターン（ビーム幅や方向）を調節して、アンテナ装置１におけるカバーエリアを可変することが可能になる。また、各系統のビームパターン（ビーム幅や方向）を調節することにより、隣り合うビーム間の干渉領域を調節したり、隣り合うエリア間の干渉領域を調整したりすることが可能になる。よって、アンテナ装置１によれば、複数のアンテナ装置１を用いてアンテナシステム１０を構成した際に、隣り合うアンテナ装置１との干渉を抑制することも可能になる。
【００４８】
また、本実施の形態では、アンテナ素子２の間隔を、アンテナ素子２を介して送受信する信号波長λの０．５倍程度（０．４倍以上０．６倍以下）としているため、不要なサイドローブを抑制し、カバーエリアが隣り合うアンテナ装置１同士の干渉をより抑制することが可能になる。
【００４９】
さらに、無線部３に４系統のベースバンド信号Ｄ１〜Ｄ４が入力されている場合において、０．５λ間隔で水平方向に整列配置された７つ以上のアンテナ素子２を有することで、隣り合うビームとのクロスオーバやサイドローブを小さくし、かつ１２０度の範囲外へのサイドローブを低減でき、特にカバーエリアを３分割したアンテナシステム１０に好適なアンテナ装置１（１ｂ，１ｃ）を実現できる。また、クロスオーバやサイドローブを小さくすることにより、通信時の干渉ノイズを小さくすることが可能になり、例えば変調方式として１６ＱＡＭ、２５６ＱＡＭを用いるなどして、ＱＰＳＫに比して伝送速度の向上を図ることも可能になる。
【００５０】
さらにまた、無線部３が、送信信号を２つ以上のアンテナ素子２に分配する分配器８を有することで、無線部３の構成を簡略化し、アンテナ装置１（１ａ〜１ｃ）の低コスト化に寄与する。
【００５１】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５２】
［１］水平方向に整列配置された複数のアンテナ素子（２）と、複数系統のベースバンド信号が入力される無線部（３）と、を備え、前記無線部（３）は、ベースバンド信号の系統毎でかつ前記アンテナ素子２毎に、位相と振幅を調整するための重み係数が設定された重みマトリクスを記憶する記憶部（６）を有し、前記重みマトリクスを各系統のベースバンド信号に掛け合わせて前記各アンテナ素子２から送信する送信信号を生成するように構成されており、前記無線部（３）は、適用する前記重みマトリクスを変更可能に構成されている、アンテナ装置（１）。
【００５３】
［２］前記記憶部（６）には、異なる重み係数が設定された複数の前記重みマトリクスが記憶されており、前記無線部（３）は、適用する前記重みマトリクスを選択可能に構成されている、［１］に記載のアンテナ装置（１）。
【００５４】
［３］前記無線部（３）は、前記重みマトリクスを外部からの信号により書き換え可能に構成されている、［１］または［２］に記載のアンテナ装置（１）。
【００５５】
［４］前記アンテナ素子（２）の間隔が、前記アンテナ素子（２）を介して送受信する信号波長λの０．４倍以上０．６倍以下である、［１］乃至［３］の何れか１項に記載のアンテナ装置（１）。
【００５６】
［５］前記無線部（３）には４系統のベースバンド信号が入力されており、０．５λ間隔で水平方向に整列配置された７つ以上の前記アンテナ素子（２）を有している、［１］乃至［４］の何れか１項に記載のアンテナ装置（１ｂ，１ｃ）。
【００５７】
［６］前記無線部（３）は、送信信号を２つ以上の前記アンテナ素子（２）に分配する分配器（８）を有する、［１］乃至［５］の何れか１項に記載のアンテナ装置（１ａ〜１ｃ）。
【００５８】
［７］［１］乃至［６］の何れか１項に記載のアンテナ装置（１）を複数備えると共に、前記各アンテナ装置（１）の通信量を監視し、当該通信量に基づき、前記アンテナ装置（１）毎に前記無線部（３）で適用する前記重みマトリクスを決定する制御装置（１１）を備えた、アンテナシステム（１０）。
【００５９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６０】
本発明は、その趣旨を逸脱しない範囲で適宜変形して実施することが可能である。
【符号の説明】
【００６１】
１…アンテナ装置
２…アンテナ素子
３…無線部
４…無線制御部
５…重み演算部
６…記憶部
７…増幅・周波数変換部
８…分配器
１０…アンテナシステム
１１…制御装置
１１ａ…通信量監視部
１１ｂ…重みマトリクス決定部
【図１】
2018061128.tif 000004
【図２】
2018061128.tif 000005
【図３】
2018061128.tif 000006
【図４】
2018061128.tif 000007
【図５】
2018061128.tif 000008
【図６】
2018061128.tif 000009
【図７】
2018061128.tif 000010